(57)【要約】【課題】  トラブルを生じさせることなく、エレベータ装置のカゴ内にペットを乗せること。【解決手段】  エレベータ装置は複数の乗場２１に停止可能なカゴ２０を備えている。カゴ２０内に、ペットボタン１とペット拒否ボタン２とが設けられている。乗場２１にペット表示灯３とペット拒否表示灯４とが設けられている。カゴ２０内のペットボタン１を押すと、ペット表示灯３が点灯し、カゴ２０内のペット拒否ボタン２を押すと、ペット拒否表示灯４が点灯する。【選択図】  図１
2005239325.tif 000002
【特許請求の範囲】
【請求項１】
複数の乗場に停止可能なカゴを備えたエレベータ装置において、
前記カゴ内に設けられたペットボタンおよびペット拒否ボタンと、
各乗場に設けられたペット表示灯およびペット拒否表示灯とを備え、
前記カゴ内のペットボタンを押すとペット表示灯が点灯し、前記カゴ内のペット拒否表示灯を押すと前記ペット拒否表示灯が点灯することを特徴とするエレベータ装置。
【請求項２】
複数の乗場に停止可能なカゴを備えたエレベータ装置において、
各乗場に設けられたペットボタンおよびペット表示灯と、
前記カゴ内に設けられたペット表示灯とを備え、
前記乗場のペットボタンを押すと、前記乗場および前記カゴ内の前記ペット表示灯が点灯し、その後乗場呼び登録が行なわれることを特徴とするエレベータ装置。
【請求項３】
前記カゴ内に更にペット拒否ボタンを設け、前記カゴ内のペット拒否ボタンを押すと、前記乗場のペットボタンを押しても乗場呼び登録が行なわれないことを特徴とする請求項２記載のエレベータ装置。
【請求項４】
複数の乗場に停止可能なカゴを備えたエレベータ装置において、
前記カゴ内に設けられたペットボタンと、
各乗場に設けられたペット表示灯およびペットＯＫボタンとを備え、
前記カゴ内のペットボタンを押すと、前記乗場のペット表示灯が点灯して乗場呼びには応答せずに直通運転し、前記カゴ内のペットボタンおよびペットＯＫボタンを押すと、前記乗場のペット表示灯が点灯して乗場呼びに応答することを特徴とするエレベータ装置。
【請求項５】
複数の乗場に停止可能なカゴを備えたエレベータ装置において、
前記カゴ内に設けられたペットの種類毎の複数のペットボタンと、
前記乗場に設けられ、各ペットボタンに対応する複数のペット表示灯とを備えたことを特徴とするエレベータ装置。
【請求項６】
複数の乗場に停止可能なカゴを備えたエレベータ装置において、
前記乗場に設けられたペットの種類毎の複数のペットボタンと、
前記乗場および前記カゴ内に設けられ、各ペットボタンに対応する複数のペット表示灯とを備えたことを特徴とするエレベータ装置。
【請求項７】
複数の乗場に停止可能なカゴを備えたエレベータ装置において、
前記カゴ内に設けられたペットボタンおよびカメラと、
前記乗場に設けられたモニタとを備え、
前記カゴ内のペットボタンを押すと、前記カゴ内のカメラにより前記カゴ内のペットを撮影して前記乗場のモニタに映し出すことを特徴とするエレベータ装置。
【請求項８】
複数の乗場に停止可能なカゴを備えたエレベータ装置において、
前記カゴ内に設けられたカメラおよびモニタと、
前記乗場に設けられたペットボタン、カメラおよびモニタとを備え、
前記乗場のペットボタンを押すと、前記カゴ内のカメラまたは前記乗場のカメラによりペットを撮影して前記カゴ内のモニタまたは前記乗場のモニタに映し出すことを特徴とするエレベータ装置。
【請求項９】
複数の乗場に停止可能なカゴを備えたエレベータ装置において、
前記カゴ内に設けられた専用ボタンおよびカメラと、
前記乗場に設けられたモニタとを備え、
前記カゴ内の専用ボタンを押すと、前記カゴ内のカメラにより乗客を撮影して前記乗場のモニタに映し出すことを特徴とするエレベータ装置。
【請求項１０】
複数の乗場に停止可能なカゴを備えたエレベータ装置において、
前記カゴ内に設けられたカメラおよびモニタと、
前記乗場に設けられた専用ボタン、カメラ、モニタとを備え、
前記乗場の専用ボタンを押すと、前記カゴ内のカメラまたは乗場のカメラにより乗客を撮影して前記カゴ内のモニタまたは乗場のモニタに映し出すことを特徴とするエレベータ装置。
【発明の詳細な説明】
【技術分野】
【０００１】
本発明は、エレベータ装置に係り、とりわけトラブルなくペットを乗せることができるエレベータ装置に関する。
【背景技術】
【０００２】
図１１（ａ）（ｂ）に示すように、従来、ペットを乗せることが可能なエレベータ装置はペットボタン１と、階床ボタン９を含むカゴ操作盤５が取り付けられたカゴ２０を有し、このカゴ２０は複数の乗場２１に停止可能となっている。また乗場２１にはペット表示灯３と、方向ボタン１０とを含む乗場操作盤７が取付けられている。
【０００３】
ペット同伴者が、エレベーターのカゴ２０内に乗り込んだ場合、カゴ２０内に設置されたペットボタン１を押すことによって乗場２１に設置されたペット表示灯３を点灯させる。このことによってカゴ２０内にペットがいることを乗場にいる人に知らせている。
【発明の開示】
【発明が解決しようとする課題】
【０００４】
しかしながら従来のエレベータ装置では、ペットが嫌いな人がカゴ２０内にいる場合、突然ペットに出くわすことになる。またペットが嫌いな人が乗場にいた場合も、ペット表示灯３が点灯することによって、カゴ２０内のペットの存在を確認することで、カゴ２０内に乗り込むことを遠慮しなければならない。このように従来のエレベータ装置は、ペット嫌いな人の利便性をあまり考慮したものではなかった。
【０００５】
本発明は、このような点を考慮してなされたものであり、ペット同伴者の利便性の確保はもちろんのこと、ペット嫌いな人の利便性も向上させ、トラブルなくペットを乗せることができるエレベータ装置を提供することを目的とする。
【課題を解決するための手段】
【０００６】
本発明は、複数の乗場に停止可能なカゴを備えたエレベータ装置において、カゴ内に設けられたペットボタンおよびペット拒否ボタンと、各乗場に設けられたペット表示灯およびペット拒否表示灯とを備え、カゴ内のペットボタンを押すとペット表示灯が点灯し、カゴ内のペット拒否表示灯を押すとペット拒否表示灯が点灯することを特徴とするエレベータ装置である。
【０００７】
本発明は、複数の乗場に停止可能なカゴを備えたエレベータ装置において、各乗場に設けられたペットボタンおよびペット表示灯と、カゴ内に設けられたペット表示灯とを備え、乗場のペットボタンを押すと、乗場およびカゴ内のペット表示灯が点灯し、その後乗場呼び登録が行なわれることを特徴とするエレベータ装置である。
【０００８】
本発明は、カゴ内に更にペット拒否ボタンを設け、カゴ内のペット拒否ボタンを押すと、乗場のペットボタンを押しても乗場呼び登録が行なわれないことを特徴とするエレベータ装置である。
【０００９】
本発明は、複数の乗場に停止可能なカゴを備えたエレベータ装置において、カゴ内に設けられたペットボタンと、各乗場に設けられたペット表示灯およびペットＯＫボタンとを備え、カゴ内のペットボタンを押すと、乗場のペット表示灯が点灯して乗場呼びには応答せずに直通運転し、カゴ内のペットボタンおよびペットＯＫボタンを押すと、乗場のペット表示灯が点灯して乗場呼びに応答することを特徴とするエレベータ装置である。
【００１０】
本発明は、複数の乗場に停止可能なカゴを備えたエレベータ装置において、カゴ内に設けられたペットの種類毎の複数のペットボタンと、乗場に設けられ、各ペットボタンに対応する複数のペット表示灯とを備えたことを特徴とするエレベータ装置である。
【００１１】
本発明は、複数の乗場に停止可能なカゴを備えたエレベータ装置において、乗場に設けられたペットの種類毎の複数のペットボタンと、乗場およびカゴ内に設けられ、各ペットボタンに対応する複数のペット表示灯とを備えたことを特徴とするエレベータ装置である。
【００１２】
本発明は、複数の乗場に停止可能なカゴを備えたエレベータ装置において、カゴ内に設けられたペットボタンおよびカメラと、乗場に設けられたモニタとを備え、カゴ内のペットボタンを押すと、カゴ内のカメラによりカゴ内のペットを撮影して乗場のモニタに映し出すことを特徴とするエレベータ装置である。
【００１３】
本発明は、複数の乗場に停止可能なカゴを備えたエレベータ装置において、カゴ内に設けられたカメラおよびモニタと、乗場に設けられたペットボタン、カメラおよびモニタとを備え、乗場のペットボタンを押すと、カゴ内のカメラまたは乗場のカメラによりペットを撮影してカゴ内のモニタまたは乗場のモニタに映し出すことを特徴とするエレベータ装置である。
【００１４】
本発明は、複数の乗場に停止可能なカゴを備えたエレベータ装置において、カゴ内に設けられた専用ボタンおよびカメラと、乗場に設けられたモニタとを備え、カゴ内の専用ボタンを押すと、カゴ内のカメラにより乗客を撮影して乗場のモニタに映し出すことを特徴とするエレベータ装置である。
【００１５】
本発明は、複数の乗場に停止可能なカゴを備えたエレベータ装置において、カゴ内に設けられたカメラおよびモニタと、乗場に設けられた専用ボタン、カメラ、モニタとを備え、乗場の専用ボタンを押すと、カゴ内のカメラまたは乗場のカメラにより乗客を撮影してカゴ内のモニタまたは乗場のモニタに映し出すことを特徴とするエレベータ装置である。
【発明の効果】
【００１６】
以上のように本発明によれば、ペット同伴者の利便性の確保はもちろんのこと、ペット嫌いな人の利便性も向上させ、トラブルを生じさせずエレベータ装置のカゴ内にペットを乗せることができる。
【発明を実施するための最良の形態】
【００１７】
第１の実施の形態
以下、図面を参照して本発明の実施の形態について説明する。
【００１８】
図１は本発明によるエレベータ装置の第１の実施の形態を示す図である。図１（ａ）（ｂ）において、エレベータ装置は複数の乗場２１に停止可能なカゴ２０を備えている。ここで各乗場２１は乗場ドア８を有し、カゴ２０はカゴドア６を有している。
【００１９】
ここで図１（ａ）はカゴ内を示す図であり、図１（ｂ）は乗場を示す図である。
【００２０】
カゴ２０内にはカゴ操作盤５が設置され、そのカゴ操作盤５には階床ボタン９と、ペットボタン１と、ペット拒否ボタン２が含まれている。
【００２１】
また乗場２１には乗場操作盤７が設置され、その乗場操作盤７には方向ボタン１０と、ペット表示灯３と、ペット拒否表示灯４が含まれている。
【００２２】
図１（ａ）（ｂ）において、ペット嫌いな人がカゴ２０に乗り込んだ場合、その人がカゴ２０内のペット拒否ボタン２を押して、階床ボタン９を押すと、カゴの行先となる行先階が登録されると同時に、乗場２１のペット拒否表示灯４が点灯し、カゴ２０内にペット嫌いな人がいることを各階の乗場２１にいる人に報知する。その乗場２１にいる人の中にペット同伴者がいる場合は、そのペット拒否表示灯等４の点灯を確認してカゴ２０に乗り込むことを遠慮してもらい、カゴ２０内のペット嫌いな人がペットとでくわしてしまうという状況をなくすことができる。
【００２３】
なお、カゴ操作盤５と乗場操作盤７は、いずれも制御部３０により制御される。
【００２４】
一方、ペット同伴者がカゴ２０に乗り込んだ場合、ペットボタン１を押しかつ階床ボタン９を押すことにより、行先階が登録され、かつ乗場２１のペット表示灯３が点灯する。このようにしてカゴ２０内にペットが乗ったことを各階の乗場２１にいる人に報知することができる。
【００２５】
第２の実施の形態
次に図２（ａ）（ｂ）により本発明の第２の実施の形態について説明する。
【００２６】
図２（ａ）（ｂ）において、図１（ａ）（ｂ）に示す第１の実施の形態と同一部分には同一符号を付して詳細な説明は省略する。
【００２７】
図２（ａ）（ｂ）に示すように、カゴ２０内にはカゴ操作盤５が設置され、そのカゴ操作盤５には階床ボタン９と、ペット表示灯３が含まれている。
【００２８】
また乗場２１には乗場操作盤７が設置され、その乗場操作盤７には方向ボタン１０と、ペット表示灯３と、ペットボタン１が含まれている。
【００２９】
図２（ａ）（ｂ）において、ペット同伴者が乗場２１のペットボタン１を押して、方向ボタン１０を押すと、カゴを呼ぶ乗場呼びが登録される。同時にカゴ２０内、乗場２１のペット表示灯３，３が点灯し、カゴ２０内の乗客にこれからペットが乗ってくるということを報知し、他階の乗場２１にいる人には、既にカゴ２０内にペットがいるか、もしくはこれからペットにでくわす可能性があるということを知らせる。
【００３０】
第３の実施の形態
次に図３（ａ）（ｂ）により本発明の第３の実施の形態について説明する。
【００３１】
図３（ａ）（ｂ）において、図１（ａ）（ｂ）に示す第１の実施の形態と同一部分には同一符号を付して詳細な説明は省略する。
【００３２】
図３（ａ）（ｂ）において、カゴ２０内にはカゴ操作盤５が設置され、そのカゴ操作盤５には階床ボタン９と、ペット表示灯３と、ペット拒否ボタン２が含まれている。
【００３３】
また乗場２１には乗場操作盤７が設置され、その乗場操作盤７には方向ボタン１０と、ペット表示灯３と、ペットボタン１が含まれている。
【００３４】
図３（ａ）（ｂ）において、ペット同伴者が乗場２１のペットボタン１を押して、方向ボタン１０を押すと、乗場呼びが登録される。同時にカゴ２０内および乗場２１のペット表示灯３，３が点灯し、カゴ２０内の乗客にこれからペットが乗ってくるということを報知し、他階の乗場２１にいる人には、既にカゴ内にペットがいるか、もしくはこれからペットにでくわす可能性があるということを知らせる。
【００３５】
一方、カゴ２０内にペット嫌いな人がいて、その人がカゴ２０内のペット拒否ボタン２を押した場合には、乗場２１のペット同伴者がペットボタン１を押して乗場呼び登録をしようとしてもそれが出来なくなる。またカゴ２０内のペット拒否ボタン２が押される前に、乗場２１にいるペット同伴者が乗場呼び登録に成功したとしても、カゴ内のペット拒否ボタン２が押されると、乗場呼びの登録を取り消してしまい、カゴ２０内のペット嫌いな人がペットとでくわしてしまうという状況をなくすことができる。
【００３６】
第４の実施の形態
次に図４（ａ）（ｂ）により本発明の第４の実施の形態について説明する。
【００３７】
図４（ａ）（ｂ）において、図１（ａ）（ｂ）に示す第１の実施の形態と同一部分には同一符号を付して詳細な説明は省略する。
【００３８】
図４（ａ）（ｂ）において、カゴ２０内にはカゴ操作盤５が設置され、そのカゴ操作盤５には階床ボタン９と、ペットボタン１が含まれている。
【００３９】
また乗場２１には乗場操作盤７が設置され、その乗場操作盤７には方向ボタン１０と、ペット表示灯３と、ペットＯＫボタン１１が含まれている。
【００４０】
図４（ａ）（ｂ）において、ペット同伴者がカゴ２０内のペットボタン１を押して、階床ボタン９を押すと、行先階が登録される。同時に、乗場２１のペット表示灯３が点灯し、カゴ２０内にペットがいることを乗場にいる人に知らせながら、乗場２１からの乗場呼びには応答せず直通運転する。一方、乗場２１にいる人がペットＯＫボタン１１を押して方向ボタン１０を押せば、乗場呼びが登録され、乗場２１からの呼びに応答して、カゴ２０が当該乗場２１に停止する。
【００４１】
第５の実施の形態
次に図５（ａ）（ｂ）により本発明の第５の実施の形態について説明する。
【００４２】
図５（ａ）（ｂ）において、図１（ａ）（ｂ）に示す第１の実施の形態と同一部分には同一符号を付して詳細な説明は省略する。
【００４３】
図５（ａ）（ｂ）において、カゴ２０内にはカゴ操作盤５が設置され、そのカゴ操作盤５には階床ボタン９と、種類別ペットボタン１２が含まれている。
【００４４】
また乗場２１には乗場操作盤７が設置され、その乗場操作盤７には方向ボタン１０と、種類別ペット表示灯１３が含まれている。
【００４５】
図５（ａ）（ｂ）において、ペット同伴者がカゴ２０内の種類別ペットボタン１２のうち自身が同伴しているペットの種類のボタン（例では犬）を押して、階床ボタン９を押すと、行先階が登録される。同時に、乗場２１の種類別ペット表示灯１３のうち、カゴ内で押された種類別ペットボタン１２（例では犬）と同じ種類の表示灯（例では犬）が点灯する。このことにより、カゴ２０内にどのような種類のペット（例では犬）がいるのかをを乗場２１にいる人に知らせることができる。
【００４６】
第６の実施の形態
次に図６（ａ）（ｂ）により本発明の第６の実施の形態について説明する。
【００４７】
図６（ａ）（ｂ）において、図１（ａ）（ｂ）に示す第１の実施の形態と同一部分には同一符号を付して詳細な説明は省略する。
【００４８】
図６（ａ）（ｂ）において、カゴ２０内にはカゴ操作盤５が設置され、そのカゴ操作盤５には階床ボタン９と、種類別ペット表示灯１３が含まれている。
【００４９】
また乗場２１には乗場操作盤７が設置され、その乗場操作盤７には方向ボタン１０と、種類別ペット表示灯１３と、種類別ペットボタン１２が含まれている。
【００５０】
ペット同伴者が乗場２１の種類別ペットボタン１２のうち自身が同伴しているペットの種類のボタン（例では犬）を押して、方向ボタン１０を押すと、乗場呼びが登録される。同時にカゴ２０内および乗場２１では、種類別ペット表示灯１３のうち、乗場２１で押された種類別ペットボタン１２（例では犬）と同じ種類のペット表示灯（例では犬）１３が点灯する。これにより、カゴ２０内の乗客にこれからどのような種類のペットが乗ってくるのかということを報知し、同時に他階の乗場２１にいる人には、既にカゴ２０内にどのような種類のペットがいるのか、もしくはこれからどのような種類のペットにでくわす可能性があるのかということを知らせることができる。
【００５１】
第７の実施の形態
次に図７（ａ）−（ｃ）により、本発明の第７の実施の形態について説明する。
【００５２】
図７（ａ）−（ｃ）において、図１（ａ）（ｂ）に示す第１の実施の形態と同一部分には同一符号を付して詳細な説明は省略する。
【００５３】
図７（ａ）−（ｃ）において、カゴ２０内にはカゴ操作盤５と、カゴカメラ１４ａとが設置されている。カゴ操作盤５には階床ボタン９と、ペットボタン１が含まれている。
【００５４】
また乗場２１には乗場操作盤７と、乗場モニタ１５ｂとが設置され、乗場操作盤７には方向ボタン１０が含まれている。
【００５５】
図７（ａ）−（ｃ）において、ペット同伴者がカゴ２０内のペットボタン１を押して、階床ボタン９を押すと、行先階が登録される。同時に、カゴカメラ１４ａが作動し、乗場モニタ１５ｂにカゴ２０内を映し出し、カゴ２０内にどのようなペットがいるのかを乗場２１にいる人に知らせることができる。
【００５６】
第８の実施の形態
次に図８（ａ）−（ｄ）により、本発明の第８の実施の形態について説明する。
【００５７】
図８（ａ）−（ｄ）において、図１（ａ）（ｂ）に示す第１の実施の形態と同一部分には同一符号を付して詳細な説明は省略する。
【００５８】
図８（ａ）−（ｄ）において、カゴ２０内にはカゴ操作盤５と、カゴカメラ１４ａと、カゴモニタ１５ａとが設置され、カゴ操作盤５には階床ボタン９が含まれている。
【００５９】
また乗場２１には乗場操作盤７と、乗場カメラ１４ｂと、乗場モニタ１５ｂとが設置され、乗場操作盤７には方向ボタン１０と、ペットボタン１が含まれている。
【００６０】
図８（ａ）−（ｄ）において、ペット同伴者が乗場２１のペットボタン１を押して、方向ボタン１０を押すと、乗場呼びが登録される。同時にカゴカメラ１４ａ及び／または乗場カメラ１４ｂが作動し、カゴカメラ１４及び／または乗場カメラ１４ｂによりカゴ２０及び／または乗場２１のペットを撮影する。次にカゴモニタ１５ａにそのペットボタン１が押された階の乗場２１を映し出し、乗場モニタ１５ｂにカゴ２０内を映し出す。このようにしてカゴ２０内の乗客にこれからどのような種類のペットが乗ってくるのかということを知らせ、他階の乗場２１にいる人には、既にカゴ２０内にどのような種類のペットがいるのかということを知らせることができる。
【００６１】
第９の実施の形態
次に図９（ａ）−（ｃ）により、本発明の第９の実施の形態について説明する。
【００６２】
図９（ａ）−（ｃ）において、図１（ａ）（ｂ）に示す第１の実施の形態と同一部分には同一符号を付して詳細な説明は省略する。
【００６３】
図９（ａ）−（ｃ）において、カゴ２０内にはカゴ操作盤５と、カゴカメラ１４ａとが設置され、カゴ操作盤５には階床ボタン９と専用ボタン１６が含まれている。
【００６４】
また乗場２１には乗場操作盤７と、乗場モニタ１５ｂとが設置され、乗場操作盤７には方向ボタン１０が含まれている。
【００６５】
図９（ａ）−（ｃ）において、身障者等がカゴ２０内の専用ボタン１６を押して、階床ボタン９を押すと、行先階が登録される。同時に、カゴカメラ１４ａが作動し、乗場モニタ１５ｂにカゴ２０内を映し出し、カゴ２０内にどのような乗客がいるのかを乗場にいる人に知らせることができる。
【００６６】
第１０の実施の形態
次に図１０（ａ）−（ｄ）により、本発明の第１０の実施の形態について説明する。
【００６７】
図１０（ａ）−（ｄ）において、図１（ａ）（ｂ）に示す第１の実施の形態と同一部分には同一符号を付して詳細な説明は省略する。
【００６８】
図１０（ａ）−（ｄ）において、カゴ２０内にはカゴ操作盤５と、カゴカメラ１４ａと、カゴモニタ１５ａとが設置され、カゴ操作盤５には階床ボタン９が含まれている。
【００６９】
また乗場２１には乗場操作盤７と、乗場カメラ１４ｂと、乗場モニタ１５ｂとが設置され、乗場操作盤７には方向ボタン１０と、専用ボタン１６が含まれている。
【００７０】
図１０（ａ）−（ｄ）において、身障者等が乗場２１の専用ボタン１６を押して、方向ボタン１０を押すと、乗場呼びが登録される。同時にカゴカメラ１４ａ及び／または乗場カメラ１４ｂが作動し、カゴカメラ１４ａ及び／または乗場カメラ１４ｂにより、カゴ２０及び／または乗場２１を撮影する。次にカゴモニタ１５ａにその専用ボタン１６が押された階の乗場２１を映し出し、乗場モニタ１５ｂにカゴ２０内を映し出す。このようにして、カゴ２０内の乗客にどのような乗客が乗ってくるのかということを知らせ、他階の乗場２１にいる人には、既にカゴ２０内にどのような乗客がいるのかということを知らせることができる。
【図面の簡単な説明】
【００７１】
【図１】本発明によるエレベータ装置の第１の実施の形態を示す図。
【図２】本発明によるエレベータ装置の第２の実施の形態を示す図。
【図３】本発明によるエレベータ装置の第３の実施の形態を示す図。
【図４】本発明によるエレベータ装置の第４の実施の形態を示す図。
【図５】本発明によるエレベータ装置の第５の実施の形態を示す図。
【図６】本発明によるエレベータ装置の第６の実施の形態を示す図。
【図７】本発明によるエレベータ装置の第７の実施の形態を示す図。
【図８】本発明によるエレベータ装置の第８の実施の形態を示す図。
【図９】本発明によるエレベータ装置の第９の実施の形態を示す図。
【図１０】本発明によるエレベータ装置の第１０の実施の形態を示す図。
【図１１】従来のエレベータ装置を示す図。
【符号の説明】
【００７２】
１  ペットボタン
２  ペット拒否ボタン
３  ペット表示灯
４  ペット拒否表示灯
５  カゴ操作盤
６  カゴドア
７  乗場操作盤
８  乗場ドア
９  階床ボタン
１０  方向ボタン
１１  ペットＯＫボタン
１２  種類別ペットボタン
１３  種類別ペット表示灯
１４ａ  カゴカメラ
１４ｂ  乗場カメラ
１５ａ  カゴモニタ
１５ｂ  乗場モニタ
１６  専用ボタン
２０  カゴ
２１  乗場
【図１】
2005239325.tif 000003
【図２】
2005239325.tif 000004
【図３】
2005239325.tif 000005
【図４】
2005239325.tif 000006
【図５】
2005239325.tif 000007
【図６】
2005239325.tif 000008
【図７】
2005239325.tif 000009
【図８】
2005239325.tif 000010
【図９】
2005239325.tif 000011
【図１０】
2005239325.tif 000012
【図１１】
2005239325.tif 000013